(57)【要約】【課題】避難所用間仕切の保管スペースを抑えることができ、かつ平常時においても使用することができる机を利用した避難所用間仕切を提供すること。【解決手段】床面から立設する左右一対の側面板２，３と、両側面板２，３同士を背面側で連結させる背面板４と、両側面板２，３間に配置される天板５，６と、を備える机１を利用した避難所用間仕切１１であって、天板５，６を、平常時に両側面板２，３間に配置する平常時配置位置と、災害発生時に少なくとも一方の側面板２，３の正面側に床面から立設させた状態で配置する災害時配置位置と、の間で配置位置を変更できる配置位置変更手段１２，１３をさらに備える。【選択図】図１
2011032743.tif 000002
【特許請求の範囲】
【請求項１】
床面から立設する左右一対の側面板と、該両側面板同士を背面側で連結させる背面板と、前記両側面板間に配置される天板と、を備える机を利用した避難所用間仕切であって、
前記天板を、平常時に前記両側面板間に配置する平常時配置位置と、災害発生時に少なくとも一方の前記側面板の正面側に床面から立設させた状態で配置する災害時配置位置と、の間で配置位置を変更できる配置位置変更手段をさらに備えることを特徴とする避難所用間仕切。
【請求項２】
前記災害時配置位置に配置された天板の上下幅寸法は、前記側面板の上下幅寸法と略同寸となっており、該天板の上端縁と前記側面板と上端縁とが略面一となることを特徴とする請求項１に記載の避難所用間仕切。
【請求項３】
前記両側面板間には、２つの天板が並設して配置され、前記災害時配置位置は、前記各天板を前記各側面板の正面側にそれぞれ配置した状態となっていることを特徴とする請求項１または２に記載の避難所用間仕切。
【請求項４】
前記背面板の左右幅寸法は、前記災害時配置位置に配置された天板及び前記側面板を合わせた前後幅寸法と略同寸に形成されることを特徴とする請求項３に記載の避難所用間仕切。
【請求項５】
前記天板の下面には、避難所用間仕切の組立方法または前記避難所に関する情報が記載されることを特徴とする請求項１ないし４のいずれかに記載の避難所用間仕切。
【発明の詳細な説明】
【技術分野】
【０００１】
本発明は、床面から立設する左右一対の側面板と、両側面板同士を背面側で連結させる背面板と、両側面板間に配置される天板と、を備える机を利用した避難所用間仕切に関する。
【背景技術】
【０００２】
従来、複数枚の段ボール製の間仕切板を上下方向を向く折目を介して左右一対に形成される矩形状の側板と、これら側板の左右端縁で上下方向を向く折目を介して形成される端板と、から構成した避難所用間仕切がある。この避難所用間仕切では、間仕切板を両側板間の折目で折り曲げることで、平面視で略L字状に形成した状態で間仕切板同士を端板で重ね合わせ、重なった連結部に連結材を挿通させることで、平面視で略コ字状の囲いを形成し、地震等の災害時に避難所として使用される学校の体育館等で被災者のプライバシーを保護するために使用できるようにしたものがある（例えば、特許文献１参照）。
【先行技術文献】
【特許文献】
【０００３】
【特許文献１】特開２００６−３２８８３４号公報（第３頁、第２図）
【発明の概要】
【発明が解決しようとする課題】
【０００４】
しかしながら、特許文献１に記載の避難所用間仕切にあっては、避難用間仕切は地震等の災害の発生時にのみにしか使用しないため、災害が発生していない平常時には、使用することが無く、かつ避難所用間仕切の保管スペースが別途必要になるため、長年、災害が発生しない地域などには、導入が進まないという問題がある。そこで、平常時に使用している物品を避難所用間仕切として利用して災害時に活用したいという要望がある。
【０００５】
本発明は、このような問題点に着目してなされたもので、避難所用間仕切の保管スペースを抑えることができ、かつ平常時においても使用することができる机を利用した避難所用間仕切を提供することを目的とする。
【課題を解決するための手段】
【０００６】
前記課題を解決するために、本発明の避難所用間仕切は、
床面から立設する左右一対の側面板と、該両側面板同士を背面側で連結させる背面板と、前記両側面板間に配置される天板と、を備える机を利用した避難所用間仕切であって、
前記天板を、平常時に前記両側面板間に配置する平常時配置位置と、災害発生時に少なくとも一方の前記側面板の正面側に床面から立設させた状態で配置する災害時配置位置と、の間で配置位置を変更できる配置位置変更手段をさらに備えることを特徴としている。
この特徴によれば、地震等の災害が発生していない平常時には、天板を平常時配置位置に配置させておくことで机として使用可能であるとともに、災害の発生時には、配置位置変更手段により天板の配置位置を変更して、仮設の避難所で被災者のプライバシーを保護するための避難所用間仕切として利用することができ、避難所用間仕切の保管スペースを別途設ける必要がなくなるばかりか、災害発生時に、避難所用間仕切を遠方から搬送する手間も必要なくなり、災害発生直後に、短時間で避難所用間仕切を避難所に設置することができる。
【０００７】
本発明の避難所用間仕切は、
前記災害時配置位置に配置された天板の上下幅寸法は、前記側面板の上下幅寸法と略同寸となっており、該天板の上端縁と前記側面板と上端縁とが略面一となることを特徴としている。
この特徴によれば、災害発生時に避難所用間仕切を形成する際に、天板と側面板との間に段差を生じさせること無く、天板と側面板とを連設させた状態で配置でき、連設された天板と側面板とにより、避難所用間仕切の前後方向で一定の高さの間仕切として、使用者のプライバシーを保護することができる。
【０００８】
本発明の避難所用間仕切は、
前記両側面板間には、２つの天板が並設して配置され、前記災害時配置位置は、前記各天板を前記各側面板の正面側にそれぞれ配置した状態となっていることを特徴としている。
この特徴によれば、各天板を平常時配置位置に配置すると、２つの天板により大きな天板面を確保でき、かつ各天板を災害時配置位置に配置すると、２つの天板を両側面板に連設させた状態で配置でき、１台の机を用いて平面視で略コ字状をなす避難所用間仕切を構成することができる。
【０００９】
本発明の避難所用間仕切は、
前記背面板の左右幅寸法は、前記災害時配置位置に配置された天板及び前記側面板を合わせた前後幅寸法と略同寸に形成されることを特徴としている。
この特徴によれば、背面板と天板及び側面板とで囲まれた空間が平面視で略正方形状に形成されるため、避難所用間仕切内の空間における使用者の使い勝手を向上させることができる。
【００１０】
本発明の避難所用間仕切は、
前記天板の下面には、避難所用間仕切の組立方法または前記避難所に関する情報が記載されることを特徴としている。
この特徴によれば、使用者が避難所用間仕切を組み立てた経験を有していなくとも、避難所用間仕切の組立方法または避難所に関する情報が記載された天板の下面を視認して、避難所用間仕切の組立方法を把握したり、避難所に関する事項を把握したりすることができ、かつ平常時には、天板の下面が避難所の床面に対向された状態となっており、机の美観を保つことができる。
【図面の簡単な説明】
【００１１】
【図１】実施例１における机を示す斜視図である。
【図２】机を示す平面図である。
【図３】避難所用間仕切の状態にした机を示す斜視図である。
【図４】避難所用間仕切の状態にした机を示す平面図である。
【図５】（ａ）は、天板を側面板に取り付ける状態を示す側面図であり、（ｂ）は、天板を側面板に取付後の状態を示す側面図である。
【図６】（ａ）は、天板の係止部と支柱の係止穴を示す一部縦断側面図であり、（ｂ）は、係止フックが係止穴に係止後の状態を示す一部縦断側面図である。
【図７】実施例２における机を示す斜視図である。
【図８】机を示す正面図である。
【図９】避難所用間仕切の状態にした机を示す斜視図である。
【発明を実施するための形態】
【００１２】
本発明に係る避難所用間仕切を実施するための形態を実施例に基づいて以下に説明する。
【実施例１】
【００１３】
実施例に係る避難所用間仕切につき、図1から図６を参照して説明する。以下、図２の紙面下側を机の正面側（前方側）とし、図２の紙面右側を机の右側とし、図４の紙面下側を避難所用間仕切の正面側（前方側）とし、図４の紙面右側を避難所用間仕切の右側とし、図５及び図６の紙面左側を避難所用間仕切の正面側（前方側）とし、図５及び図６の紙面手前側を避難所用間仕切の右側として説明する。
【００１４】
図１の符号１は、本発明の適用された机である。この机１は、例えば、学校の図書室等に設けられ、主に読書や自習等に使用される机１であり、机１の正面側と背面側とで異なる使用者が背面板４を挟んで対向して使用可能となっている。
【００１５】
図１及び図２に示すように、この机１は、床面から立設する左右一対の側面板２，３と、両側面板２，３間を連結する背面板４と、両側面板２，３間に配置される２枚の天板５，６によって主に構成されている。
【００１６】
具体的には、これら両側面板２，３のうち左側の側面板２は、床面から立設され、前後方向に配置された左側の支柱７ａ，７ｂ間に支持されており、右側の側面板３は、床面から立設され、前後方向に配置された右側の支柱７ｃ，７ｄ間に支持されている。
【００１７】
これら両側面板２，３、背面板４及び天板５，６は、主に木製合板から形成された略同一の厚みを有する四角形状の板体である。尚、支柱７ａ〜７ｄは、アルミニウム等の金属材を押し出し成型することにより、その内部が中空状（図６（ａ）参照）をなす略四角柱状に形成されている。
【００１８】
両側面板２，３は、上下幅寸法がＬ１に形成されているとともに（図１参照）、前後幅寸法がＬ１よりも長寸のＬ２に形成されている（図２参照）。これら側面板２，３を支持する支柱７ｂ，７ｄ間には、背面板４が支持されており、両側面板２，３は、支柱７ｂ，７ｄを介して背面板４によって互いに連結されている。これら両側面板２，３間には、左右幅寸法がＬ１であり、前後幅寸法がＬ１よりも短寸のＬ３に形成された、左右一対の天板５，６が左右方向に並設されている（図２参照）。
【００１９】
つまり、天板５，６の前後幅寸法Ｌ３は、両側面板２，３の前後幅寸法よりも短く形成されている（Ｌ２＞Ｌ１＞Ｌ３）。また、これら両側面板２，３の内側面には、床面からの所定高さ位置に、前後２つのボスネジ８が取り付けられている。
【００２０】
一方、両側面板２，３の底面の外側の端縁部には、側面板２，３の内側面に取り付けられたボスネジ８に嵌合する嵌合穴９が前後方向に２つ形成されている（図５（ａ）参照）。また、背面板４の正面側及び背面側の左右方向の略中央部には、上端部がボスネジ８と略同一高さ位置まで延設された副支持板１０が着脱可能に取り付けられている。
【００２１】
このため、両側面板２，３間に上方から天板５，６の嵌合穴９にボスネジ８を嵌合させるように、天板５，６の内側端縁部を副支持板１０の上端部に載置させることで、天板５，６が両側面板２，３間に配置される。
【００２２】
副支持板１０の上端部には、左右方向に向けてフランジ１０ａが形成されており、このフランジ１０ａの下方から螺子を天板５，６に螺着させることによって、天板５，６が側面板２，３間で固定される。このため、両側面板２，３間の左右幅寸法である背面板４の左右幅寸法は、Ｌ１の２倍の寸法である２Ｌ１に形成されている。尚、側面板２，３と背面板４及び天板５，６は、寸法Ｌ１、Ｌ２、Ｌ３が、２Ｌ１＝Ｌ２＋Ｌ３となるように形成されている。
【００２３】
図１及び図２に示すように、本実施例における天板５，６は、地震等の災害が発生していない平常時に、両側面板２，３間で支持される平常時配置位置と、図３及び図４に示すように、地震等の災害発生時に支柱７ａ，７ｃで立設された状態で支持される災害時配置位置と、の間で、その配置位置を変更可能となっている。特に、天板５，６を災害時配置位置に配置させることで、側面板２，３と天板５，６と背面板４とによって本発明の避難所用間仕切１１を構成するようになっている。
【００２４】
以下、支柱７ａの先端部に支持される天板５と、支柱７ｃの先端部に支持される天板６とは、互いに左右対称の構成を有しているため、本実施例では、天板５と支柱７ａとについてのみ説明し、天板６と支柱７ｃとの説明は省略する。
【００２５】
具体的には、図５（ａ）〜図６（ｂ）に示すように、災害時配置位置における天板５の内側面（平常時配置位置における天板５の下面）の後端部には、天板５を支柱７ａに取り付けるための係止部１２が上下に設けられている。これら係止部１２内には、円弧状のフック部１２ａが内蔵されている（図５参照）。
【００２６】
また、図６（ａ）に示すように、係止部１２の内側面には、係止部１２内でフック部１２ａと接続された摘み部１２ｂが取り付けられている。図６（ｂ）に示すように、摘み部１２ｂを垂直方向に回動させることによって、フック部１２ａを係止部１２の背面側に向けて回動させながら突出できるようになっている。一方、支柱７ａの先端部の上下には、フック部１２ａを支柱７ａに係止するための係止孔１３が形成されている。
【００２７】
このように構成された天板５を、支柱７ａの先端部に支持させる際には、先ず、図１に示す平常時配置位置の天板５と副支持板１０との螺着を解除し、天板５を取り外す。このとき、副支持板１０を背面板４から取り外す。
【００２８】
次に、天板５を、外側端縁部が下端部となるように床面に立設させ、支柱７ａに対して正面側から天板５の後端部を当接させる（図５（ａ）及び図６（ａ）参照）。そして、摘み部１２ｂを回動操作することで、フック部１２ａを係止孔１３に挿通させる（図５（ｂ）及び図６（ｂ）参照）。
【００２９】
このとき、フック部１２ａは、係止部１２の背面側に向けて回動しながら係止孔１３に挿通されるので、フック部１２ａの先端は、係止孔１３の下端縁よりも下方に配置され、フック部１２ａによって係止孔１３に天板５が係止される。このフック部１２ａと係止孔１３の係止によって、天板５は支柱７ａに対して支持される。つまり、係止部１２と係止孔１３とは、本発明における配置位置変更手段を構成している。
【００３０】
尚、図３に示すように、災害時配置位置の天板５が立設されていることによって、天板５の上下幅寸法が側面板２の上下幅寸法と同一のＬ１となり、天板５の上端縁と側面板２の上端縁とが互いに面一に形成される。
【００３１】
前述したように、天板５，６が支柱７ａ，７ｃに支持されることで、図３及び図４に示すように、避難所用間仕切１１は、両側面板２，３及び天板５，６と、背面板４とによって正面側に開口する平面視で略コ字状に形成される。また、両側面板２，３及び天板５，６と、背面板４とで囲まれる空間は、災害の被災者が居住するための避難所用ブース１４に形成される。
【００３２】
この避難所用ブース１４の左右幅寸法は、背面板４の左右幅寸法である２Ｌ１に形成されているとともに、避難所用ブース１４の前後幅寸法は、側面板２，３と天板５，６の前後幅寸法Ｌ２＋Ｌ３に支柱７ａ，７ｃの前後幅寸法を加えた寸法に形成されている。このため、避難所用ブース１４の左右幅寸法と前後幅寸法とは略同寸に形成されており、避難所用ブース１４は、避難者の居住しやすい平面視で略正方形状に形成される。
【００３３】
尚、図５（ａ）及び図５（ｂ）に示すように、災害時配置位置における天板５，６の内側面（平常時配置位置における天板５の下面）には、避難所用間仕切１１の組立方法または避難所に関する情報が記載されている情報部１５（記載面）が設けられている。
【００３４】
この情報部１５に記載されている避難所に関する情報とは、例えば、避難所内の見取り図等である。この情報部１５は、天板５，６が両側面板２，３間に配置されることによって床面と対向するため、災害が発生していない平常時に隠蔽されるようになる。
【００３５】
このため、天板５，６を平常時配置位置から取り外した後に、情報部１５に記載されている組立方法の手順に従って、天板５，６を支柱７ａ，７ｃに支持させることで避難所用間仕切１１の組立を行えるようになっている。
【実施例２】
【００３６】
次に、実施例２に係る避難用間仕切につき、図７から図９を参照して説明する。尚、前記実施例と同一構成で重複する構成を省略する。以下、図８の紙面手前側を机の正面側（前方側）とし、図８の紙面右側を机の右側として説明する。
【００３７】
図７及び８に示すように、実施例２における机部１’が左右方向に複数連設されている。具体的には、机部１’は、最左方側の支柱７ａ，７ｂ間に支持された側面板２と、その他の支柱７ｃ，７ｄ間に支持された側面板３と、を備えている。これら支柱７ｂ，７ｄ間に支持された背面板４によって左右方向に並設された側面板２，３が互いに連結されている。また、支柱７ａ，７ｃの先端部の上下には、係止孔１３（配置位置変更手段）が形成されている。
【００３８】
これら両側面板２，３の上下幅寸法と背面板４の左右幅寸法とは、同寸の長さＬ１に形成されている。これら両側面板２，３の内側面には、床面からの所定高さ位置に、前後２つのボスネジ８が取り付けられている。
【００３９】
また、各机部１’は、左右幅寸法がＬ１に形成された１枚の天板１６を備えている。この天板１６の左右方向の両外側端縁部には、ボスネジ８を嵌合可能な嵌合穴９（図示略）が形成されており、各ボスネジ８にこれら嵌合穴９を上方から嵌合させることによって天板１６が平常時配置位置である両側面板２，３間に配置されている。
【００４０】
更に、背面板４の背面側には、正面側と同一の両側面板２，３と天板１６とが配置されており、正面側と背面側とで異なる使用者が、背面板４を挟んで対向して机部１’を使用可能となっている。
【００４１】
この机部１’の支柱７ｂ，７ｄを介して複数枚の背面板４が連設されるとともに、支柱７ｂ，７ｄを介して側面板３が連設されており、この側面板３の先端部は、支柱７ｃによって支持されている（図９参照）。
【００４２】
そして、側面板３，３間には、天板１６が配置されており、これら両側面板３，３と背面板４及び天板１６によって机部１’が構成されている。以下、机部１’の支柱７ｄには、同様の背面板４が連設されており、机部１’が左右方向に複数連設される。
【００４３】
連設された机部１’を避難所用間仕切１１’とする際には、先ず、図７に示すように、平常時配置位置の天板１６を両側面板２，３から取り外す。そして、図９に示すように、天板１６を左側の側面板２の正面側に立設させて、天板１６を支柱７ａに支持させることで、天板１６を災害時配置位置に配置する。
【００４４】
同様に、その他の机部１’は、向かって左側の側面板３の正面側に天板１６を立設させてゆき、側面板３の先端部の支柱７ｄに天板１６を支持させる。このように、各机部１’の左側の側面板２，３から順に、その先端部の支柱７ａ，７ｄに天板１６を支持させてゆき、左右方向に複数並設される避難所用間仕切部１１’が形成される。
【００４５】
以上、実施例１及び２における避難所用間仕切１１にあっては、天板５，６を、平常時に両側面板２，３間に配置する平常時配置位置と、災害発生時に少なくとも一方の側面板２，３の正面側に床面から立設させた状態で配置する災害時配置位置と、の間で配置位置を変更できる係止部１２と係止孔１３とを備えるので、地震等の災害が発生していない平常時には、天板５，６を平常時配置位置に配置させておくことで机１として使用可能であるとともに、災害の発生時には、配置位置変更手段により天板５，６の配置位置を変更して、仮設の避難所で被災者のプライバシーを保護するための避難所用間仕切１１として利用することができ、避難所用間仕切１１の保管スペースを別途設ける必要がなくなるばかりか、災害発生時に、避難所用間仕切１１を遠方から搬送する手間も必要なくなり、災害発生直後に、短時間で避難所用間仕切１１を避難所に設置することができる。
【００４６】
また、災害時配置位置に配置された天板５，６の上下幅寸法は、側面板２，３の上下幅寸法と略同寸となっており、天板５，６の上端縁と側面板２，３と上端縁とが略面一となるので、災害発生時に避難所用間仕切１１を形成する際に、天板５，６と側面板２，３との間に段差を生じさせること無く、天板５，６と側面板２，３とを連設させた状態で配置でき、連設された天板５，６と側面板２，３とにより、避難所用間仕切１１の前後方向で一定の高さの間仕切として、使用者のプライバシーを保護することができる。
【００４７】
また、両側面板２，３間には、２つの天板５，６が並設して配置され、災害時配置位置は、各天板５，６を各側面板２，３の正面側にそれぞれ配置した状態となっているので、各天板５，６を平常時配置位置に配置すると、２つの天板５，６により大きな天板面を確保でき、かつ各天板５，６を災害時配置位置に配置すると、２つの天板５，６を両側面板２，３に連設させた状態で配置でき、１台の机１を用いて平面視で略コ字状をなす避難所用間仕切を構成することができる。
【００４８】
また、背面板４の左右幅寸法は、災害時配置位置に配置された天板５，６及び側面板２，３を合わせた前後幅寸法と略同寸に形成されるので、背面板４と天板５，６及び側面板２，３とで囲まれた空間が平面視で略正方形状に形成されるため、避難所用間仕切１１内の避難所用ブース１４における使用者の使い勝手を向上させることができる。
【００４９】
また、天板５，６の下面には、避難所用間仕切１１の組立方法または避難所に関する情報が記載されるので、使用者が避難所用間仕切１１を組み立てた経験を有していなくとも、避難所用間仕切１１の組立方法または避難所に関する情報が記載された天板５，６の下面を視認して、避難所用間仕切１１の組立方法を把握したり、避難所に関する事項を把握したりすることができ、かつ平常時には、天板５，６の下面が避難所の床面に対向された状態となっており、机１の美観を保つことができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例１では、２枚の天板５，６を側面板２，３間で左右方向に並設させているが、横長の２枚の天板５，６を、側面板２，３間で前後方向に並設させるようにしてもよい。
【００５２】
また、前記実施例１及び２では、天板５，６の後端部の上下に係止部１２を設け、これら係止部１２のフック部１２ａを、支柱７ａ，７ｃに形成された係止孔１３に係止させることによって支柱７ａ，７ｃに天板５，６を支持させたが、支柱７ａ，７ｃに天板５，６を支持させる方法は、その他の態様であってもよく、例えば、支柱７ａ，７ｃに上下方向を向く溝を形成し、天板５，６の後端部を、この溝に上方から落とし込むことで支柱７ａ，７ｃに天板５，６を支持させるケンドン式にしてもよい。
【符号の説明】
【００５３】
１                机
１’              机部
２，３            側面板
４                背面板
５，６            天板
１１              避難所用間仕切
１１’            避難所用間仕切部
１２              係止部（配置位置変更手段）
１３              係止孔（配置位置変更手段）
１５              情報部
１６              天板
【図１】
2011032743.tif 000003
【図２】
2011032743.tif 000004
【図３】
2011032743.tif 000005
【図４】
2011032743.tif 000006
【図５】
2011032743.tif 000007
【図６】
2011032743.tif 000008
【図７】
2011032743.tif 000009
【図８】
2011032743.tif 000010
【図９】
2011032743.tif 000011